(57)【要約】【課題】引出の引出時における落下を防止する手段を提供する。【解決手段】側面に開口部が形成され筐体と、前記開口部に挿入され、前記筐体から引出可能に設けられた引出と、前記筐体に設けられた係止部と、  前記引出に回動可能に設けられ、前記引出を持上げる把手と、前記把手に形成された傾斜部と、を備え、前記引出を引出すときに、前記把手の傾斜部が前記係止部に当接し、前記把手が前記引出の外側に向けて回動する。【選択図】        図２
2018106641.tif 000002
【特許請求の範囲】
【請求項１】
側面に開口部が形成された筐体と、
前記開口部に挿入され、前記筐体から引出可能に設けられた引出と、
前記筐体に設けられた係止部と、
前記引出に回動可能に設けられ、前記引出を持上げる把手と、
前記把手に形成された傾斜部と、を備え、
前記引出を引出すときに、前記把手の傾斜部が前記係止部に当接し、前記把手が前記引出の外側に向けて回動することを特徴とする現金処理装置。
【請求項２】
請求項１に記載の現金処理装置において、
前記把手は、前記係止部に係止される鉤部と、前記鉤部に向かって拡大する方向に傾斜した傾斜部とを有することを特徴とする現金処理装置。
【発明の詳細な説明】
【技術分野】
【０００１】
本発明は、金融機関や流通業の現金統合管理に用いる現金処理装置に関する。
【背景技術】
【０００２】
従来の硬貨入金機は、硬貨を収納した収納庫を装着した収納トレイを筐体の下部に配置し、収納庫を回収するときに、収納トレイを硬貨入金機の筐体から引出し、収納庫に設けた把手によって収納庫を上方に引抜いている（例えば、特許文献１参照。）。
【先行技術文献】
【特許文献】
【０００３】
【特許文献１】特開２０１２−８８１０号公報（段落００２８、００７７、第９図）
【発明の概要】
【発明が解決しようとする課題】
【０００４】
上述のような硬貨を収納した収納庫は重いため、筐体の下部に配置すれば、収納トレイの引出時に落下させる恐れはないが、現金処理装置の硬貨入出金部に設ける汚損貨収納庫のように、床から離れた位置に設けられる引出式の収納庫の場合は、集積枚数が多いと重くなるため、不用意に引出すと、収納庫を落下させてしまう恐れがあるという問題がある。
本発明は、上記の問題点を解決するためになされたもので、収納庫等の引出の引出時における落下を防止する手段を提供することを目的とする。
【課題を解決するための手段】
【０００５】
本発明は、上記課題を解決するために、側面に開口部が形成された筐体と、前記開口部に挿入され、前記筐体から引出可能に設けられた引出と、前記筐体に設けられた係止部と、
前記引出に回動可能に設けられ、前記引出を持上げる把手と、前記把手に形成された傾斜部と、を備え、前記引出を引出すときに、前記把手の傾斜部が前記係止部に当接し、前記把手が前記引出の外側に向けて回動することを特徴とする。
【発明の効果】
【０００６】
これにより、本発明は、操作者は引出の引出時に把手の存在を容易に視認することができ、引出の引出時における落下を防止することができるという効果が得られる。
【図面の簡単な説明】
【０００７】
【図１】実施例１の現金処理装置を示す説明図
【図２】実施例１の汚損貨収納庫の側面を示す説明図
【図３】実施例１の汚損貨収納庫の引出時の作用を示す説明図
【図４】実施例１の汚損貨収納庫の装着時の作用を示す説明図
【発明を実施するための形態】
【０００８】
以下に、図面を参照して本発明による現金処理装置の実施例について説明する。
【実施例１】
【０００９】
以下に、図１ないし図４を用いて本実施例の現金処理装置について説明する。
本実施例の現金処理装置１は、金融機関や流通業の現金統合管理に用いる複数の機能を有する装置であって、図１に示す構成を備えている。
操作表示部２は、現金処理装置１の前面側の上部に設けられ、ＬＣＤ等の表示画面と、タッチパネルやキーボード等の入力手段等を備えており、表示画面に業務選択画面や各種の入力画面、行員や担当者等の操作者に対する所定の情報等を表示する機能を有すると共に、入力手段により操作者による選択入力等を受付ける機能を有している。
【００１０】
装置制御部３は、図示しない記憶部に格納されたプログラムにより、現金処理装置１の各部を制御して、入金処理や出金処理、計数処理、補充・回収処理等の現金（紙幣および硬貨）に関する各種の取引処理を実行する機能等を有している。
現外ポスト部４は、小切手や手入力操作で入金した現金等を収納する部位である。
印刷部５は、プリンタ等を備えており、現金処理装置１による入金処理や出金処理等の取引内容を伝票に印刷して排出する機能を有している。
【００１１】
紙幣入出金部７は、入金取引時等に操作者が投入したバラ紙幣を受入れ、これを鑑別および計数して紙幣収納庫に収納し、出金取引時等に操作者により指定された金額に相当する紙幣を紙幣収納庫から繰出して計数し、これを操作者に払出す機能等を有している。
施封小束支払部８は、所定枚数のバラ紙幣を金種別に施封した小束を操作者に払出す機能を有している。
【００１２】
新券支払部９は、新札の紙幣を操作者に払出す機能を有している。
補充回収部１１は、補充回収カセットが着脱可能に装着される部位であって、現金自動預払機に補充する紙幣を計数して補充回収カセット等に収納し、現金自動預払機から補充回収カセット等により回収された紙幣を計数して収納する機能を有している。
棒金包装支払部１２は、所定枚数のバラ硬貨を金種別に包装した棒金を操作者に払出す機能を有している。
【００１３】
硬貨入出金部１３は、入金取引時等に操作者が投入したバラ硬貨を受入れ、これを鑑別および計数して硬貨収納庫に収納し、出金取引時等に操作者により指定された金額に相当する硬貨を硬貨収納庫から繰出して計数し、これを操作者に払出す機能等を有している。
引出としての汚損貨収納庫１５は、硬貨入出金部１３の筐体１３ａの一の側面（本実施例では前面）の中央部に設けられ、入金処理時に投入された硬貨の中で、汚損硬貨と鑑別された硬貨を集積する箱形状の収納庫である。
【００１４】
本実施例の汚損貨収納庫１５は、図２に示すように、筐体１３ａに設けられた開口部としての装着部１６に引出可能に装着され、操作者が引手１７によって、図２に矢印で示す引出方向に引出して集積された汚損硬貨を取出すことが可能になっている。
また、汚損貨収納庫１５の側板の上部には、回転支点２０ａを中心に回動可能に取付けられた把手２０が設けられている。
【００１５】
本実施例の把手２０は、操作者が手で持つ持手２１と、持手２１の両端部に設けられた側柱２２からなる門型部材であって、２つの側柱２２は、それぞれ汚損貨収納庫１５の側板の外側に配置されている。
また、汚損貨収納庫１５の側板の上端部の、持手２１が当接する部位には、汚損貨収納庫１５を装填部１６内に挿入したときに、持手２１を収容するための切欠部２３が設けられている。
【００１６】
持手２１の回転支点２０ａを挟んだ反対側の端部には、側柱２２の鉛直方向に伸張する鉤部２４が設けられ、鉤部２４と側柱２２との内側の角部には、鉤部２４に向かって拡大する方向に傾斜した傾斜部２５が形成されている。
この鉤部２４には、筐体１３ａの装着部１６の口元に設けられた係止部としてのロックポスト２７に当接する当接面が設けられ、その反対側には角部を切取って形成した斜面２４ａが設けられている。
【００１７】
本実施例の傾斜部２５の傾斜面は、回転支点２０ａの中心付近から鉤部２４の当接面に向けて傾斜しており、その傾斜面と当接面の交差部は、ロックポスト２７の中心の高さ（図２に示す１点鎖線参照）と同等の高さに設定され、傾斜面の傾斜角は側柱２２から３０度に形成されている。
【００１８】
以下に、図３を用いて、本実施例の汚損貨収納庫１５の引出時における把手２０の作用について説明する。
入金処理時等に汚損貨収納庫１５に汚損硬貨が集積されると、操作者は集積された汚損硬貨を取出すために、図３（ａ）に示すように、引手１７に手を掛けて汚損貨収納庫１５を装着位置（図２に示す位置をいう。））から、現金処理装置１の前面側への引出しを開始する。
【００１９】
このとき、把手２０は、持手２１が切欠部２３内に収容されて略水平になっている。
操作者が、汚損貨収納庫１５の引出しを継続すると、図３（ｂ）に示すように、把手２０の傾斜部２５が、筐体１３ａに設けられたロックポスト２７に当接し、傾斜部２５の傾斜面がロックポスト２７を摺動しながら、把手２０が回転支点２０ａを中心に、同図に矢印Ａで示す汚損貨収納庫１５の外側に向かう方向に、持手２１の重さに抗して自動的に回動し始める。
【００２０】
操作者が、更に汚損貨収納庫１５を引出すと、図３（ｃ）に示すように、把手２０の鉤部２４がロックポスト２７に当接し、持手２１が、矢印Ａ方向に更に回動して汚損貨収納庫１５の外部に露出する。
これにより、操作者は把手２０の存在を容易に視認することができると共に、鉤部２４のロックポスト２７への当接により引出力に負荷が掛かり、操作者に不用意な引出しに対する注意を喚起することができる。
【００２１】
また、鉤部２４がロックポスト２７に当接したときに、本実施例の汚損貨収納庫１５の底板は、装着部１６内に位置しているため、汚損貨収納庫１５の落下が防止される。
そして、操作者が、外部に露出した持手２１を持上げると、鉤部２４のロックポスト２７への当接が解除され、図３（ｄ）に示すように、操作者は持手２１を持ちながら、汚損貨収納庫１５を装着部１６から完全に引抜くことが可能になり、把手２０を手で持って持ち運ぶことができる。
【００２２】
以下に、図４を用いて、本実施例の汚損貨収納庫１５の装着時における把手２０の作用について説明する。
汚損貨収納庫１５に集積された汚損硬貨を取出すと、操作者は、空の汚損貨収納庫１５を筐体１３ａに設けられた装着部１６へ挿入するために、図４（ａ）に示すように、持手２１を手で持って把手２０を略垂直方向に持上げた状態のまま、汚損貨収納庫１５の引手１７または底板に手を掛けて、把手２０が筐体１３ａの前面に近接するまで装着部１６内に挿入する。
【００２３】
把手２０が筐体１３ａに近接するまで汚損貨収納庫１５を挿入した操作者は、図４（ｂ）に示すように、その位置で把手２０を回転支点２０ａを中心に、同図に矢印Ｂで示す持手２１が汚損貨収納庫１５内に向かう方向に回動させて傾斜部２５をロックポスト２７に当接させる。
このときに、本実施例の汚損貨収納庫１５の底板は、装着部１６内に位置しているため、持手２１を持つ手を離したとしても、汚損貨収納庫１５が落下することはない。
【００２４】
また、把手２０を矢印Ｂ方向に回動させている途中で手を離したとしても、本実施例の汚損貨収納庫１５には、切欠部２３と把手２０の傾斜部２５が設けてあるので、傾斜部２５が先にロックポスト２７に当接するため、汚損貨収納庫１５の側板の損傷を防止することができる。
操作者が、持手２１を持っていた手を離して汚損貨収納庫１５を更に挿入すると、傾斜部２５の傾斜面がロックポスト２７を摺動しながら、把手２０が持手２１の重さにより徐々にＢ方向に回動して持手２１が切欠部２３内に入って行く。
【００２５】
そして、操作者は、汚損貨収納庫１５を更に装着部１６内に押込み、汚損貨収納庫１５の前面と筐体１３の前面とを面一にして、汚損貨収納庫１５を筐体１３ａ内の装着位置に装着する（図２参照）。
このようにして、本実施例の汚損貨収納庫１５の筐体１３ａ内への装着が行われるが、図４（ｄ）に示すように、例えば、操作者が汚損貨収納庫１５の挿入方向の先端部が装着部１６内に挿入されたときに、把手２０を矢印Ｂ方向に回動させたとしても、本実施例の鉤部２４には斜面２４ａが設けられているので、斜面２４ａがロックポスト２７に当接して、把手２０の回動力に負荷が掛かり、汚損貨収納庫１５が挿入方向の逆方向に押し戻されるため、操作者は把手２０を回動させるタイミングが早すぎたことに容易に気付くことができる。
【００２６】
以上説明したように、本実施例では、硬貨入出金部１３の筐体１３ａの側面に設けられた装着部１６に引出可能に設けられた汚損貨収納庫１５に、傾斜部２５が形成された回動可能な把手２０を設けると共に、筐体１３ａにロックポスト２７を設け、汚損貨収納庫１５を引出すときに、把手２０の傾斜部２５がロックポスト２７に当接して把手２０が汚損貨収納庫１５の外側に向けて自動的に回動するようにしたので、操作者は汚損貨収納庫１５の引出時に把手２０の存在を容易に視認することができ、汚損貨収納庫１５の引出時における落下を防止することができる。
【００２７】
なお、上記実施例においては、引出は、汚損貨収納庫であるとして説明したが、棒金包装支払部１２の端数貨を収納する収納庫や、硬貨入出金部１３のリジェクト庫や出金庫等であってもよい。要は、引出可能な箱形状の収納庫等であって、把手を設ける必要があるものに本発明を適用すれば上記と同様の効果を得ることができる。
また、上記実施例においては、把手２０の側柱２２は、汚損貨収納庫１５の側板の外側に配置するとして説明したが、側板の内側に配置するようにしてもよい。
【符号の説明】
【００２８】
１    現金処理装置
２    操作表示部
３    装置制御部
４    現外ポスト部
５    印刷部
７    紙幣入出金部
８    施封小束支払部
９    新券支払部
１１  補充回収部
１２  棒金包装支払部
１３  硬貨入出金部
１３ａ  筐体
１５  汚損貨収納庫
１６  装着部
２０  把手
２０ａ  回転支点
２１  持手
２２  側柱
２３  切欠部
２４  鉤部
２４ａ  斜面
２５  傾斜部
２７  ロックポスト
【図１】
2018106641.tif 000003
【図２】
2018106641.tif 000004
【図３】
2018106641.tif 000005
【図４】
2018106641.tif 000006